(57)【要約】【課題】操作者にとって重要性の高い受診日のスクロール速度を遅くし、重要性の低い受診日スクロール速度を速くすることで、所望の受診日を確実に且つ比較的短時間で探し出せるようにする。【解決手段】診療情報に関与する者を指す関与者情報を診療情報に直接的又は間接的に対応付けて保持している関与者記憶手段と、装置の現在の操作者を指す操作者情報を保持している操作者記憶手段と、単位領域の先頭がスクロール移動で診療情報表示範囲に入ると当該単位領域に対応する受診日の診療情報に対応付けられている関与者情報と前記操作者情報とを照合し、何れかの関与者情報が前記操作者情報と合致する場合はスクロール速度を低下させる移動制御手段とを有する診療支援装置。【選択図】      図１
2004264990.tif 000002
【特許請求の範囲】
【請求項１】
受診日に対応付けて記録した診療情報を持ち、受診日単位で区切る単位領域内に当該単位領域に対応する受診日の診療情報を表示するとともに、診療情報表示範囲から外れている単位領域についてはスクロール移動で診療情報表示範囲に入れて表示する診療支援装置であって、
診療情報に関与する者を指す関与者情報を診療情報に直接的又は間接的に対応付けて保持している関与者記憶手段と、
装置の現在の操作者を指す操作者情報を保持している操作者記憶手段と、
単位領域の先頭がスクロール移動で診療情報表示範囲に入ると当該単位領域に対応する受診日の診療情報に対応付けられている関与者情報と前記操作者情報とを照合し、何れかの関与者情報が前記操作者情報と合致する場合はスクロール速度を低下させる移動制御手段と、
を有することを特徴とする診療支援装置。
【請求項２】
請求項１に於いて、
前記移動制御手段は、前記操作者情報と合致する関与者情報が無い場合はスクロール速度を上昇させる、
ことを特徴とする診療支援装置。
【請求項３】
請求項１又は請求項２に於いて、
前記関与者記憶手段が保持する関与者情報には、診療情報に対応する受診日の担当医師を指す担当医情報を含み、
受診日に対応付けて来院区分を保持する区分記憶手段を更に有し、
前記移動制御手段は、スクロール移動で診療情報表示範囲に入った単位領域に対応する受診日の来院区分が初診であり、且つ、当該受診日の担当医情報が前記操作者情報と合致する場合は、スクロール移動を一旦停止させる、
ことを特徴とする診療支援装置。
【請求項４】
請求項１又は請求項２に於いて、
前記関与者記憶手段が保持する関与者情報には、診療情報に関与するべき予定関与者の職務を診療情報の種別に対応付けて指す予定関与者情報を含み、
診療情報の種別が処方等である場合に該処方等の実施／未実施を当該診療情報に対応付けて保持する実施状況記憶手段を更に有し、
前記移動制御手段は、前記操作者情報と合致する関与者情報が予定関与者情報であり、且つ、該予定関与者情報が指す職務に対応する種別が処方等であり、且つ、該処方等が未実施の場合は、スクロール移動を一旦停止させる、
ことを特徴とする診療支援装置。
【請求項５】
請求項１又は請求項２に於いて、
前記関与者記憶手段が保持する関与者情報は、診療情報の生成記録過程に関与した既定関与者を指す既定関与者情報、及び／又は、診療情報に関与するべき予定関与者の職務を診療情報の種別に対応付けて指す予定関与者情報である、
ことを特徴とする診療支援装置。
【請求項６】
請求項５に於いて、
前記既定関与者情報は、診療情報に対応する受診日の担当医師を指す担当医情報と、診療情報の入力者を指す入力者情報であり、
前記予定関与者情報が指す職務は、診療情報の種別が処置処方である場合の看護師、診療情報の種別が投薬処方である場合の薬剤師、診療情報の種別が衛生検査処方である場合の衛生検査技師、診療情報の種別が放射線検査処方である場合の放射線検査技師である、
ことを特徴とする診療支援装置。
【請求項７】
請求項１〜請求項６の何れかに於いて、
操作入力される指定状態に応じて移動制御手段の機能を実行／非実行と切り換えるための制御切換手段を更に有する、
ことを特徴とする診療支援装置。
【発明の詳細な説明】
【０００１】
【発明の属する技術分野】
本発明は、診療支援装置（電子カルテ機能を備えたコンピュータ装置）に関する。詳しくは、受診日に対応付けて記録した診療情報を持ち、受診日単位で区切る単位領域内に当該単位領域に対応する受診日の診療情報を表示するとともに診療情報表示範囲から外れている単位領域についてはスクロール移動で診療情報表示範囲に入れて表示する診療支援装置に関する。
【０００２】
【従来の技術】
電子カルテ機能を備えたコンピュータ装置が提供されている。
電子カルテ機能では、各受診日のカルテを、図７に例示するようなカルテ２号紙のイメージで表示している。図７内に「Ａ１７」で示す範囲が、平成１５年２月１７日という受診日（以下「受診単位」ともいう）の診療情報を表示している範囲（以下「単位領域」という）である。
モニタ画面上の診療情報表示範囲には、各受診日の診療情報の多寡に応じて１又は２以上の受診日の診療情報が表示される。モニタ画面上の診療情報表示範囲から外れている受診日の診療情報を見たい場合には、操作者は、スクロール移動により当該所望の受診日の単位領域を表示する。
【０００３】
画面の表示内容からのキーワードの検出に対応してスクロール速度を変化させるようにした技術が知られている（特許文献１，参照）。
表示待ちの情報量が増加するにつれてスクロール速度を増加させるようにした技術が知られている（特許文献２，参照）。
【０００４】
【特許文献１】
特開２０００−３１１０４５号
【特許文献２】
特開２００１−２８２２２７号
【０００５】
【発明が解決しようとする課題】
医療機関に於いて、医師や看護師等の従業者が、電子カルテに記録されている患者の診療記録の中から所望の診療情報を探し出して参照したい場合には、受診日（受診単位）毎に区切られて連続的に表示される診療記録の内容を視認しつつスクロール移動させて、所望の診療情報が記載されている受診日（受診単位）を探し出している。しかし、スクロール移動には時間がかかるため、所望の診療情報を持つ受診日に辿り着くまでにかなりの長時間を要する場合があり、手間隙がかかる。だからといって、スクロール移動の速度を上げ過ぎると、所望の診療情報を見落としてしまうという不具合が生ずる。
このため、所望の診療情報が記載されている部分のスクロール速度を遅くしたい、及び／又は、所望の診療情報が記載されていない部分のスクロール速度を速くしたい、という要請がある。
【０００６】
医療機関の従業者にとって、重要性を持つ診療情報の種別は、その職務や診療情報との係わり方によってそれぞれ異なる。
例えば、医師であれば、自己の担当患者の診療情報は重要である。また、患者の病状等を的確に把握するためには、初診時の診療情報は重要である。
電子カルテの入力者の場合は、入力内容の確認や入力ミスのチェック等のために、自己の入力した診療情報が重要である。
看護師にとっては、医師から指示された処置処方の内容確認や、指示された処置処方を実施したか否かの確認が重要である。このことは、薬剤師にとっての投薬処方、衛生検査技師にとっての衛生検査処方、放射線検査技師にとっての放射線検査処方等についても同様である。
【０００７】
本発明は、重要性を持つ診療情報の種別が、院内従業員の職務や診療情報との係わり方によって異なることに着目したものであり、診療情報を参照する者にとって重要性の高い診療情報が記載されていると推定される受診日（受診単位）のスクロール速度を遅くし、及び／又は、重要性の低い診療情報が記載されていると推定される受診日（受診単位）のスクロール速度を速くすることにより、比較的短時間のスクロール移動により、所望の診療情報を探し出し得るようにすることを目的とする。
【０００８】
【課題を解決するための手段】
本発明は、下記［１］〜［７］のように構成される。
［１］構成１：
［１］  受診日に対応付けて記録した診療情報を持ち、受診日単位で区切る単位領域内に当該単位領域に対応する受診日の診療情報を表示するとともに、診療情報表示範囲から外れている単位領域についてはスクロール移動で診療情報表示範囲に入れて表示する診療支援装置であって、
診療情報に関与する者を指す関与者情報を診療情報に直接的又は間接的に対応付けて保持している関与者記憶手段と、
装置の現在の操作者を指す操作者情報を保持している操作者記憶手段と、
単位領域の先頭がスクロール移動で診療情報表示範囲に入ると当該単位領域に対応する受診日の診療情報に対応付けられている関与者情報と前記操作者情報とを照合し、何れかの関与者情報が前記操作者情報と合致する場合はスクロール速度を低下させる移動制御手段と、
を有することを特徴とする診療支援装置。
受診日とは、診療情報が作成される受診単位をいう。１日に１回受診するのが普通であるが、１日に２回受診した場合には、それぞれが受診日となる。
【０００９】
［２］構成２：
前記［１］の構成に於いて、
前記移動制御手段は、前記操作者情報と合致する関与者情報が無い場合はスクロール速度を上昇させる、
ことを特徴とする診療支援装置。
【００１０】
［３］構成３：
前記［１］又は［２］の構成に於いて、
前記関与者記憶手段が保持する関与者情報には、診療情報に対応する受診日の担当医師を指す担当医情報を含み、
受診日に対応付けて来院区分を保持する区分記憶手段を更に有し、
前記移動制御手段は、スクロール移動で診療情報表示範囲に入った単位領域に対応する受診日の来院区分が初診であり、且つ、当該受診日の担当医情報が前記操作者情報と合致する場合は、スクロール移動を一旦停止させる、
ことを特徴とする診療支援装置。
【００１１】
［４］構成４：
前記［１］又は［２］の構成に於いて、
前記関与者記憶手段が保持する関与者情報には、診療情報に関与するべき予定関与者の職務を診療情報の種別に対応付けて指す予定関与者情報を含み、
診療情報の種別が処方等である場合に該処方等の実施／未実施を当該診療情報に対応付けて保持する実施状況記憶手段を更に有し、
前記移動制御手段は、前記操作者情報と合致する関与者情報が予定関与者情報であり、且つ、該予定関与者情報が指す職務に対応する種別が処方等であり、且つ、該処方等が未実施の場合は、スクロール移動を一旦停止させる、
ことを特徴とする診療支援装置。
【００１２】
［５］構成５：
前記［１］又は［２］の構成に於いて、
前記関与者記憶手段が保持する関与者情報は、診療情報の生成記録過程に関与した既定関与者を指す既定関与者情報、及び／又は、診療情報に関与するべき予定関与者の職務を診療情報の種別に対応付けて指す予定関与者情報である、
ことを特徴とする診療支援装置。
診療情報の生成記録過程とは、患者を診療することにより診療情報が生成される過程や、生成された診療情報を電子カルテに記録する過程である。
【００１３】
［６］構成６：
前記［５］の構成に於いて、
前記既定関与者情報は、診療情報に対応する受診日の担当医師を指す担当医情報と、診療情報の入力者を指す入力者情報であり、
前記予定関与者情報が指す職務は、診療情報の種別が処置処方である場合の看護師、診療情報の種別が投薬処方である場合の薬剤師、診療情報の種別が衛生検査処方である場合の衛生検査技師、診療情報の種別が放射線検査処方である場合の放射線検査技師である、
ことを特徴とする診療支援装置。
【００１４】
［７］構成７：
前記［１］〜［６］の構成の何れかに於いて、
操作入力される指定状態に応じて移動制御手段の機能を実行／非実行と切り換えるための制御切換手段を更に有する、
ことを特徴とする診療支援装置。
【００１５】
【発明の実施の形態】
以下、図面を参照して本発明の実施の形態を説明する。
図１は実施の形態の診療支援装置の構成を示すブロック図である。図２は受診日（受診単位）のスクロール移動を示す説明図である。図３と図４は操作者にとっての重要性を考慮してスクロール速度を変化させる制御手順を示すフローチャートである。図５と図６は上記の制御に於いて用いるテーブル構成（図１内の診療情報データベースの一部）の説明図である。
【００１６】
図２（ａ）では、受診日２月１７日の診療情報表示領域（単位領域）の下部分と、受診日２月１０日の診療情報表示領域（単位領域）の上部分が、破線枠で示す診療情報表示範囲に在る。なお、Ａ１７が２月１７日の単位領域、Ａ１０が２月１０日の単位領域、Ａ０３が２月３日の単位領域である。
この状態から、矢印方向（図内上方向）へスクロール移動を行う。
【００１７】
スクロール移動により、図２（ｂ）の位置になる。即ち、受診日２月３日の診療情報表示領域（単位領域）の先端部（スクロール方向での先端部（図示の例は上方向へのスクロールのため「先端部＝上端部」））が、破線枠で示す診療情報表示範囲に入るタイミングとなる。
【００１８】
本装置では、このタイミングに於いて、当該受診日（図示の例では受診日２月３日）の診療情報と、スクロール操作を行っている操作者との関連性をチェックし、その結果、当該受診日の診療情報が操作者にとって重要な情報であるとされた場合は、スクロール速度を遅くし、又は、停止する。逆に、当該受診日の診療情報が操作者にとって重要な情報でないとされた場合は、スクロール速度を速くする。このように制御することで、所望の診療情報に辿り着くまでの時間を短縮するとともに、重要な診療情報を見落とすことがないようにしている。
【００１９】
なお、上記のタイミングは、スクロールデータバッファ（不図示）に展開した診療情報データをＶＲＡＭ（不図示）に書き込む時の各受診日の診療情報表示領域（単位領域）の先頭位置と、ＶＲＡＭ内での診療情報表示範囲を規定する位置とを監視することによって検出できる。また、設定された速度でスクロールを行う技術は公知である。このため、これらについての説明は省略する。なお、これらの制御は、表示制御・スクロール制御部１２によって行われる。
受診日（２月１７日）本実施の形態の装置では、図２（ａ）の状態からスクロールが行われて（ｂ）の状態となったとき、
【００２０】
制御装置１０は、上述の制御を行うために、診療情報データベースに、図示の各テーブルを持つ。まず、これらのテーブルについて説明する。
【００２１】
図５と図６は、スクロール速度を制御する際に用いられるデータが記録されているテーブルの構成例を示す。換言すれば、診療情報に関与する者を指す関与者情報を、診療情報に直接的又は間接的に対応付けて保持しているデータベースの構成例を示す。なお、図５と図６は上記データベースの構成の一具体例を示すものであり、本発明がこのような構成のデータベースを使用することに限定されないことは勿論である。本発明の機能を実現可能な範囲で、種々の構成のデータベースを採用してよい。
【００２２】
テーブル構成を説明する。
図５（ａ）に例示するように、診療情報テーブルでは、一意の診療情報ＩＤに対応付けて、患者ＩＤ、当該診療情報が属する受診日の受診ＩＤ、当該診療情報が処方等（処置処方／投薬処方／衛生検査処方／放射線処方等）である場合の種別を示す処方ＩＤ、処方等の内容（処置／投薬内容や検査結果等）、或いは、医師の所見、画像ファイル名等が記録されている。
【００２３】
また、図５（ｂ）に例示するように、診療情報管理テーブルでは、一意の診療情報管理ＩＤに対応付けて、管理対象の受診日の受診ＩＤ、当該受診日の診療の担当医師、当該受診日の診療情報の入力者、当該受診日の来院区分、当該受診日の年月日が記録されている。
【００２４】
また、図６（ａ）に示すように、処方等実施／未実施管理テーブルでは、一意の処方等管理ＩＤに対応付けて、管理対象の処方等が記録されている診療情報の診療情報ＩＤ、当該処方等の種別を示す処方等ＩＤ、当該処方等が実施済みであるか未実施であるかを示す実施／未実施情報が記録されている。
【００２５】
また、図６（ｂ）に示すように、処方等−職務対応テーブルでは、処方等の種別を示す処方等ＩＤと、職務を示す職務ＩＤとが対応付けられている。
また、図６（ｃ）に示すように、処方等テーブルでは、一意の処方等ＩＤに、処方等の種別を示す処方等名称が対応付けられている。
また、図６（ｄ）に示すように、職務テーブルでは、一意の職務ＩＤに、院内従業者の職務を示す職務名称が対応付けられている。
また、図６（ｅ）に示すように、一意の職員ＩＤに、職員氏名、当該職員の所属、当該職員の職務を示す職務ＩＤ等が対応付けて記録されている。
【００２６】
次に、図３と図４のフローチャートに即して、且つ、図５と図６のテーブルを参照して、操作者と診療情報との関係に基づいて、診療情報表示のスクロール速度を設定する手順を説明する。
【００２７】
本装置の起動時等に於いて、パスワード及びユーザ名により操作者（現在の操作者）を識別し、その個人識別情報と職務識別情報を取得して、メモリの所定のエリアに保持する（Ｓ０１）。個人識別情報とは職員テーブル（図６（ｅ））から取得する職員ＩＤであり、職務識別情報とは同様に職員テーブルから取得する職務ＩＤである。本装置では、職務ＩＤは、図６（ｄ）に示すように、医師であれば５０、看護師であれば５１、薬剤師であれば５２、衛生検査技師であれば５２、放射線検査技師であれば５４である。
【００２８】
何れかの単位領域（受診日単位で区分した診療情報表示領域）のスクロール方向の先端が、診療情報表示範囲（図２（ａ）（ｂ）に点線枠で示す領域）に入ると（Ｓ１１でＹＥＳ）、現在の制御モードが、スクロール速度を自動制御するモードか否かチェックする（Ｓ１３）。この制御モードは、操作者が、所望のモードを操作入力により適宜に指定しているものとする。
【００２９】
スクロール速度を自動制御するモードの場合は（Ｓ１３でＹＥＳ）、まず、スクロール速度制御変数Ｘに初期値３をセットする（Ｓ１５）。
【００３０】
次に、当該受診日（単位領域の先端が診療情報表示範囲に入った受診単位）が持つ受診ＩＤをキーとして、当該受診日（受診単位）の担当医師の職員ＩＤ、当該受診日（受診単位）の診療情報の入力者の職員ＩＤ、及び、当該受診日（受診単位）の来院区分（初診／再診）を、それぞれ、診療情報管理テーブル（図５（ｂ））から取得する（Ｓ１７）。
【００３１】
また、当該受診日（単位領域の先端が診療情報表示範囲に入った受診単位）が持つ受診ＩＤをキーとして、当該受診日（受診単位）に属する１又は２以上の診療情報が持つ各処方等の種別（投薬処方／処置処方／衛生検査処方／放射線検査処方の何れかであるかを示す処方等ＩＤ）を、それぞれ、診療情報テーブル（図５（ａ））から取得する（Ｓ１７）。
【００３２】
また、当該受診日（単位領域の先端が診療情報表示範囲に入った受診単位）に属する１又は２以上の診療情報が持つ各処方等の実施／未実施状況を、各々の診療情報ＩＤ及び処方等ＩＤをキーとして、処方等実施／未実施管理テーブル（図６（ａ））から取得する（Ｓ１７）。
【００３３】
また、処方等の各種別の対応職務（当該処方等を実施すべき職務）の職務ＩＤを、処方等−職務対応テーブル（図６（ｂ）から取得する（Ｓ１７）。
【００３４】
次に、ステップＳ２１へ進み、現在の操作者の職務が医師であるか否かをチェックする。その結果、現在の操作者の職務が医師（職務ＩＤ＝５０）である場合は（Ｓ２１でＹＥＳ）、ステップＳ２３へ進む。
【００３５】
ステップＳ２３〜Ｓ３３は、現在の操作者である医師が、当該受診日（単位領域の先端が診療情報表示範囲に入った受診単位）の担当医であったか否かに応じて、及び、当該受診日の来院区分が初診であったか否かに応じて、スクロール速度制御変数Ｘを変化させる処理である。後述のように、スクロール速度制御変数Ｘにより、Ｘの値が大きいほどスクロール速度が遅くなるように、小さいほど速くなるように、スクロール移動が制御される。
【００３６】
即ち、現在の操作者が当該受診日（受診単位）の担当医であった場合は（Ｓ２３でＹＥＳ）、スクロール速度制御変数Ｘを「１」増加させる（Ｓ２５）。自己の担当した診療の記録を参照したい場合が多いためである。
また、現在の操作者が当該受診日（受診単位）の担当医でなかった場合は（Ｓ２３でＮＯ）、スクロール速度制御変数Ｘを「１」減少させる（Ｓ２５）。自己の担当しなかった診療の記録を参照したい場合は少ないためである。
また、当該受診日（受診単位）の来院区分が「初診」であった場合は（Ｓ２９でＹＥＳ）、スクロール速度制御変数Ｘを「１」増加させる（Ｓ３１）。医師にとって、初診時の診療記録には重要な情報が多いためである。
また、当該受診日（受診単位）の来院区分が「初診」でなかった場合は（Ｓ２９でＮＯ）、スクロール速度制御変数Ｘを「１」減少させる（Ｓ３３）。医師にとって、再診時の診療記録には、一般には、初診時ほどの重要性はないためである。
【００３７】
前記ステップＳ２１で、現在の操作者が医師でないと判定された場合は（Ｓ２１でＮＯ）、ステップＳ３５へ進む。
【００３８】
ステップＳ３５〜Ｓ４７は、現在の操作者である非医師（看護師等）が当該受診日（単位領域の先端が診療情報表示範囲に入った受診単位）の診療情報の入力者であったか否かに応じて、及び、当該受診日（受診単位）の処方等であって現在の操作者である非医師（看護師等）の職務に対応する処方等（投薬処方／処置処方／衛生検査処方／放射線検査処方）が実施済みか否かに応じて、スクロール速度制御変数Ｘを変化させる処理である。
【００３９】
即ち、現在の操作者が当該受診日（受診単位）の診療情報入力者であった場合は（Ｓ３５でＹＥＳ）、スクロール速度制御変数Ｘを「１」増加させる（Ｓ３７）。自己が入力した診療記録を確認したり、入力ミスをチェックしたり等する場合が多いためである。
また、現在の操作者が当該受診日（受診単位）の診療情報の入力者でなかった場合は（Ｓ３５でＮＯ）、スクロール速度制御変数Ｘを「１」減少させる（Ｓ３９）。自己が入力しなかった診療記録を参照する必要性は少ないためである。
また、現在の操作者の職務が当該受診日（受診単位）の処方等を行うべき職務であって（Ｓ４１でＹＥＳ）、該行うべき処方等が未実施の場合は（Ｓ４３でＹＥＳ）、スクロール速度制御変数Ｘを「１」増加させる（Ｓ４５）。自己の担当すべき処方等を忘れないように参照する場合が多いためである。
また、現在の操作者の職務が当該受診日（受診単位）の処方等を行うべき職務ではない場合や（Ｓ４１でＮＯ）、現在の操作者の職務が当該受診日（受診単位）の処方等を行うべき職務ではあっても（Ｓ４１でＹＥＳ）、該行うべき処方等が実施済みの場合は（Ｓ４３でＮＯ）、スクロール速度制御変数Ｘを「１」減少させる（Ｓ４７）。実施済みの処方等を参照する必要性は少ないためである。
【００４０】
以上のようにして増減させたスクロール速度制御変数Ｘの値をチェックし（Ｓ４９）、その結果（＝操作者にとっての当該受診日（単位領域の先端が診療情報表示範囲に入った受診単位）の診療情報の重要度）に応じて、スクロール移動速度を、停止／通常速度／高速度の何れかに設定する（Ｓ５１）。これにより、操作者にとって重要度の高い受診日（受診単位）のスクロール速度は遅くなるように、操作者にとって重要度の低い受診日（受診単位）のスクロール速度は速くなるように、スクロール速度が制御される。
【００４１】
なお、上記のようにスクロール速度制御変数Ｘの値を増減させる処理（図４内に実線で示す経路）は一具体例を示すものであり、本発明は、上記のような増減手法に限定されない。例えば、図３及び図４内に実線で示す経路を破線で示す経路に置換した場合、操作者にとって重要度の高い受診日（受診単位）のスクロール速度が遅くなるように制御される点は上記の例と同様であるが、操作者にとって重要度の低い受診日（受診単位）のスクロール速度を速めるようには制御されない。また、図３及び図４内に実線で示す経路を一点鎖線で示す経路に置換した場合には、操作者にとって重要度の高い受診日（受診単位）のスクロール速度が遅くなるようには制御されないが、操作者にとって重要度の低い受診日（受診単位）のスクロール速度を速めるように制御される点は前述の例と同様である。このような制御を採用してもよい。また、これらを更に組み合わせた適宜の制御を採用してもよい。
【００４２】
また、前記の具体例では、操作者にとっての当該受診日（受診単位）の重要度に応じてスクロール速度を制御する／しないを切り換えているが、このような二者択一ではなく、上記のように種々の制御を用意しておき、その中から操作者に選択させるように構成してもよい。
【００４３】
また、上記では、処置−看護師、投薬−薬剤師、衛生検査−衛生検査技師、放射線検査−放射線検査技師を例に挙げているが、院内の他の業務、例えば、会計担当者等についても同様に適用してよいことは勿論である。
【００４４】
【発明の効果】
前記［１］の構成は、受診日に対応付けて記録した診療情報を持ち、受診日単位で区切る単位領域内に当該単位領域に対応する受診日の診療情報を表示するとともに、診療情報表示範囲から外れている単位領域についてはスクロール移動で診療情報表示範囲に入れて表示する診療支援装置であって、診療情報に関与する者を指す関与者情報を診療情報に直接的又は間接的に対応付けて保持している関与者記憶手段と、装置の現在の操作者を指す操作者情報を保持している操作者記憶手段と、単位領域の先頭がスクロール移動で診療情報表示範囲に入ると当該単位領域に対応する受診日の診療情報に対応付けられている関与者情報と前記操作者情報とを照合し、何れかの関与者情報が前記操作者情報と合致する場合はスクロール速度を低下させる移動制御手段とを有するため、診療情報を参照する者にとって重要性の高い診療情報が記載されていると推定される受診日のスクロール速度を自動的に遅くすることができる。このため、所望の診療情報を見落とすことなく、確実に探し出すことができる。
【００４５】
前記［２］の構成は、前記［１］の構成の診療支援装置に於いて、前記移動制御手段は前記操作者情報と合致する関与者情報が無い場合はスクロール速度を上昇させるため、前記［１］の構成が持つ効果に加えて、さらに、診療情報を参照する者にとって重要性の低い診療情報が記載されていると推定される受診日のスクロール速度を速くすることができる。このため、比較的短時間のスクロール移動によって所望の診療情報を探し出すことができる。
【００４６】
前記［３］の構成は、前記［１］又は［２］の構成の診療支援装置に於いて、前記関与者記憶手段が保持する関与者情報には診療情報に対応する受診日の担当医師を指す担当医情報を含み、受診日に対応付けて来院区分を保持する区分記憶手段を更に有し、前記移動制御手段はスクロール移動で診療情報表示範囲に入った単位領域に対応する受診日の来院区分が初診であり且つ当該受診日の担当医情報が前記操作者情報と合致する場合はスクロール移動を一旦停止させるため、医師にとって非常に重要であると推定される診療情報、即ち、患者の初診時の診療情報を、見落としの恐れのないように表示できる。このため、患者の病状等を的確に把握するための良好な診療支援を提供できる。
【００４７】
前記［４］の構成は、前記［１］又は［２］の構成の診療支援装置に於いて、前記関与者記憶手段が保持する関与者情報には診療情報に関与するべき予定関与者の職務を診療情報の種別に対応付けて指す予定関与者情報を含み、診療情報の種別が処方等である場合に該処方等の実施／未実施を当該診療情報に対応付けて保持する実施状況記憶手段を更に有し、前記移動制御手段は前記操作者情報と合致する関与者情報が予定関与者情報であり且つ該予定関与者情報が指す職務に対応する種別が処方等であり且つ該処方等が未実施の場合はスクロール移動を一旦停止させるため、処方等を実施すべき職務の者にとって非常に重要であると推定される未実施の担当の処方等を、見落としの恐れのないように表示できる。このため、良好な院内業務の支援を提供できる。
【００４８】
前記［５］の構成は、前記［１］又は［２］の構成の診療支援装置に於いて、前記関与者記憶手段が保持する関与者情報は、診療情報の生成記録過程に関与した既定関与者を指す既定関与者情報、及び／又は、診療情報に関与するべき予定関与者の職務を診療情報の種別に対応付けて指す予定関与者情報であるため、前記［１］又は［２］の構成での効果を得ることができる者を、診療情報との種々の係わり方に於いて具体的に規定することができる。
【００４９】
前記［６］の構成は、前記［５］の構成の診療支援装置に於いて、前記既定関与者情報は、診療情報に対応する受診日の担当医師を指す担当医情報と、診療情報の入力者を指す入力者情報であり、前記予定関与者情報が指す職務は、診療情報の種別が処置処方である場合の看護師、診療情報の種別が投薬処方である場合の薬剤師、診療情報の種別が衛生検査処方である場合の衛生検査技師、診療情報の種別が放射線検査処方である場合の放射線検査技師であるため、前記［１］又は［２］の構成での効果を得ることができる者を、診療情報との種々の係わり方に於いて更に具体的に規定することができる。
【００５０】
前記［７］の構成は、前記［１］〜［６］の構成の何れかの診療支援装置に於いて、操作入力される指定状態に応じて移動制御手段の機能を実行／非実行と切り換えるための制御切換手段を更に有するため、通常のスクロール移動を行いたい場合に、上記のスクロール移動をキャンセルすることができる。
【図面の簡単な説明】
【図１】実施の形態の診療支援装置の構成を示すブロック図。
【図２】受診日（受診単位）のスクロール移動を示す説明図。（ａ）の状態から矢印方向（図内上方）へスクロール移動することで、（ｂ）のように或る受診日（図示の例では２００３年２月３日）の単位領域のスクロール方向先端部が診療情報表示範囲に入った状態を示す。
【図３】操作者にとっての重要性を考慮してスクロール速度を変化させる制御手順を示すフローチャートの一部。
【図４】図３のフローチャートの残部。
【図５】図３と図４の制御に於いて用いるテーブル構成の説明図。（ａ）は診療情報テーブル、（ｂ）は診療情報管理テーブル。
【図６】図３と図４の制御に於いて用いるテーブル構成の説明図。（ａ）は処方等実施／未実施管理テーブル、（ｂ）は処方等−職務対応テーブル、（ｃ）は処方等テーブル、（ｄ）は職務テーブル、（ｅ）は職員テーブル。
【図７】カルテ２号紙画面のイメージの説明図。
【符号の説明】
１０  制御装置
１１  診療情報データベース
１２  表示制御・スクロール表示制御部
１３  入力制御部
２０  表示装置（液晶モニタ，ＣＲＴモニタ等）
３０  入力装置（マウス，キーボード等）
【図１】
2004264990.tif 000003
【図２】
2004264990.tif 000004
【図３】
2004264990.tif 000005
【図４】
2004264990.tif 000006
【図５】
2004264990.tif 000007
【図６】
2004264990.tif 000008
【図７】
2004264990.tif 000009